(57)【要約】 【課題】  片手にのみ負担を掛けることなく、楽に果汁を絞ることができる使い勝手の良い果汁絞り器を提供する。【解決手段】  果実類Ｆの切断面を押圧して果汁を得る果汁絞り器であって、果汁受け皿７内に凹凸面３ａを有する絞り部３を突出形成した本体部１と、当該本体部１が回動自在に装着される台部２とで構成される。本構成では、一方の手で果実Ｆを押さえ、他方の手で本体部１を回動させることにより果汁を絞る。【選択図】    図１
2006081567.tif 000002
【特許請求の範囲】
【請求項１】
果実類の切断面を押圧して果汁を得る果汁絞り器であって、
果汁受け皿内に凹凸面を有する絞り部を突出形成した本体部と、
当該本体部が回動自在に装着される台部とで構成されることを特徴とする果汁絞り器。
【請求項２】
前記本体部に持ち手を設けたことを特徴とする請求項１に記載の果汁絞り器。
【請求項３】
前記本体部が前記台部に着脱自在に装着可能であることを特徴とする請求項１または請求項２の何れかに記載の果汁絞り器。
【発明の詳細な説明】
【技術分野】
【０００１】
本発明は、レモンやグレープフルーツ等、果実類の切断面を押圧して果汁を得る果汁絞り器に関するものである。
【背景技術】
【０００２】
従来より、果汁受け皿内の中央に凹凸面を有する絞り部を突出形成した果汁絞り器が知られている（例えば、特許文献１）。
【０００３】
係る果汁絞り器を用いてグレープフルーツ等の果汁を絞る場合、図５に示すように、一方の手で持ち手４を掴んで果汁絞り器をテーブル等の上にしっかりと固定し、他方の手で二つ割りにしたグレープフルーツＦの切断面を絞り部３の頂部に上から押し付けると共に、果実Ｆを押圧した手を矢印のように左右に回転させながら果汁を絞り出すようにしている。絞り出された果汁は、絞り部３の凹部を伝って下方に流れて果汁受け皿７内に貯留される。
【特許文献１】特開昭６１−１５７４１７号公報
【発明の開示】
【発明が解決しようとする課題】
【０００４】
しかしながら、上記した果汁絞り器においては、果実Ｆを上から押圧しながら回動させるという絞り作業は、果実Ｆを掴む一方の手にのみ大きな負担が掛かることになり、よって、当果汁絞り器は、子供や女性等のように手の小さい人や握力の弱い人にとっては極めて使い辛いものであった。
【０００５】
本発明は、このような従来の果汁絞り器の有する問題点に鑑み成されもので、片手にのみ負担を掛けることなく、楽に果汁を絞ることができる使い勝手の良い果汁絞り器を提供することを目的としている。
【課題を解決するための手段】
【０００６】
すなわち、請求項１に記載の本発明は、果実類の切断面を押圧して果汁を得る果汁絞り器であって、果汁受け皿内に凹凸面を有する絞り部を突出形成した本体部と、当該本体部が回動自在に装着される台部とで構成されることを特徴としている。
【０００７】
また、請求項２に記載の本発明は、請求項１に記載の果汁絞り器において、前記本体部に持ち手を設けたことを特徴としている。
【０００８】
また、請求項３に記載の本発明は、請求項１または請求項２の何れかに記載の果汁絞り器において、前記本体部が前記台部に着脱自在に装着可能であることを特徴としている。
【発明の効果】
【０００９】
以上説明したように、本発明によれば、一方の手で果実を押さえ、他方の手で本体部（すなわち、絞り部）を回動させる構成としたので、従来のように一方の手にのみ大きな負担が掛かることを回避でき、手の小さい人や握力の弱い人でも楽に果汁を絞ることができる。
【００１０】
また、本体部と台部が着脱自在であることから、使用後は果汁絞り器を分解することにより洗浄・乾燥が容易に行えるため、果汁絞り器を常に衛生的に保持することができる。
【発明を実施するための最良の形態】
【００１１】
以下、図１〜図４に基づいて本発明に係る果汁絞り器の実施の形態を説明する。図１は本実施形態の果汁絞り器の外観を示し、図２は同、果汁絞り器の内部構造を示し、図３は同、果汁絞り器の組み立てを示し、図４は同、果汁絞り器の使用態様を示す。
尚、説明を簡略化するため、以下の説明において従来と共通する部材については同一の符号を用いた。
【００１２】
図１〜図３に示すように、本実施形態の果汁絞り器は、果汁受皿７内の中央に凹凸面３ａ（すなわち、絞り刃）を有する円錐状の絞り部３を一体的に突出形成した合成樹脂製（例えば、ＰＰ）の本体部１と、この本体部１が載置・装着される合成樹脂製（本体部と同様の例えば、ＰＰ）の台部２とにより、その主要部が構成されている。
【００１３】
また、上記果汁受け皿７の側部には、持ち手４を中央に配し、その左右の開口縁部に注口５が形成されていると共に、果汁受け皿７の底部の円形開口縁部１０に沿って延出部１１が環状に形成されている。この延出部１１には、相平行する２本の縦溝１２によって画設された弾性係止片１３が複数箇所（本実施形態では４箇所）に形成されていると共に、これら弾性係止片１３の先端部に、それぞれ係止突起１３ａが外方に突設されている。
【００１４】
一方、台部２は、中央に上記果汁受け皿７の延出部１１が嵌着可能な円形開口部８を有し、当円形開口部８の垂直内壁面９に上記係止突起１３ａと係合可能な環状凸部９ａが形成されている。
【００１５】
従って、上記構成では、図３に示すように、台部２の円形開口部８に上方より本体部１の延出部１１を嵌入することにより、図２に示すように、果汁受け皿７の裏底が台部２の開口縁上に載置されると共に、果汁受け皿７が備えた弾性係止片１３の係止突起１３ａと台部２が備えた垂直内壁面９の環状凸部９ａとが係合し、本体部１は台部２に回動自在、且つ、着脱自在に装着されることになる。
尚、片手で台部２を押さえながら本体部１を持ち上げることにより、係止突起１３ａと環状凸部９ａとの係合が外れて本体部１を台部２より簡単に取り外すことができる。
また、台部２の裏側に耐摩耗性に優れる合成樹脂製（例えば、ＴＰＥ）の筒体６を取り付けることにより、本体部１を回動した際の台部２の滑り（連れ回り）を防止している。
【００１６】
この状態で、グレープフルーツ等の果汁を絞る場合は、図４に示すように、一方の手で二つ割りにしたグレープフルーツＦの切断面を絞り部３の頂部に上から押し付けると共に、他方の手で持ち手４を掴んで矢印方向に回動させながら果汁を絞り出す。すなわち、上記した本体部１と台部２の嵌合構造により、持ち手４の回動操作で本体部１は台部２の周方向に回動し、果実Ｆの切断面に押圧された絞り部３の回動動作により果汁を絞り出す。絞り出された果汁は絞り刃３ａの凹部を伝って下方に流れて逐次果汁受け皿７内に貯留される。果汁受け皿７内の果汁は、注口５より他の容器に零さずに移し替えることができる。
【００１７】
このように、本発明の果汁絞り器では、一方の手で果実を押さえ、他方の手で本体部（すなわち、絞り部）を回動させる構造であるため、従来のように一方の手にのみ大きな負担が掛かることを回避でき、手の小さい人や握力の弱い人でも楽に果汁を絞ることができる。
【００１８】
また、本体部１と台部２が着脱自在であることから、使用後は果汁絞り器を簡単に分解して洗浄・乾燥が行えるため、極めて衛生的である。
【００１９】
以上本実施形態では、果汁絞りを対象としたが、本発明のように絞り部３を回動させる絞り構造は、果実の他、トマトの汁絞りや大根の摺り下ろし等、野菜類にも適用可能である。
【図面の簡単な説明】
【００２０】
【図１】本発明に係る果汁絞り器の外観斜視図。
【図２】同、果汁絞り器の縦断面図。
【図３】同、果汁絞り器の分解斜視図。
【図４】同、果汁絞り器の使用態様を示す斜視図。
【図５】従来の果汁絞り器の使用態様を示す図。
【符号の説明】
【００２１】
１  本体部
２  台部
３  絞り部
３ａ  凹凸面（絞り刃）
４  持ち手
７  果汁受け皿
Ｆ  果実類
【図１】
2006081567.tif 000003
【図２】
2006081567.tif 000004
【図３】
2006081567.tif 000005
【図４】
2006081567.tif 000006
【図５】
2006081567.tif 000007